(57)【特許請求の範囲】
【請求項１】
メッセージの同報対象グループを示すローカルアドレスを割り当てられた複数の無線端末と、該複数の無線端末を管轄する複数の無線基地局と、該複数の無線基地局へ同報対象グループに対するメッセージを出力する無線基地局制御装置とを備え、
前記無線基地局制御装置は、
同報対象のメッセージが格納されたＡＴＭセルにおけるＶＣＩ（Virtual Channel Identifier）フィールドに当該ローカルアドレスを格納する手段と、
前記ＡＴＭセルをＡＡＬ（ATM Adaptation Layer）タイプ２セルに変換し、且つ、前記格納されたローカルアドレスが示す同報対象グループの中から前記各無線基地局が管轄する無線端末群を識別するためのチャネル識別子を、前記ＡＡＬタイプ２セルにおけるＣＰＳ（Common Part Sublayer）パケットのＣＩＤ（Channel Identifier）フィールドに格納し、該ＡＡＬタイプ２セルを前記チャネル識別子に基づき当該無線基地局へそれぞれ送信する手段とを有し、
前記各無線基地局は、前記無線基地局制御装置からＡＡＬタイプ２セルを受信したとき、該セルのチャネル識別子に対応する各無線端末へ前記メッセージの複製を供給することを特徴とする同報送信システム。
【請求項２】
前記無線基地局制御装置は、前記複数の無線基地局のそれぞれに送信すべき各ＡＡＬタイプ２セルのＶＣＩフィールドの値として、同報を示す同一の値を格納することを特徴とする請求項１記載の同報送信システム。
【請求項３】
前記無線基地局制御装置は、
ローカルアドレスと該ローカルアドレスに対応する無線端末群のチャネル識別子との対応関係を示す情報テーブルを有し、
前記ＡＴＭセルをＡＡＬタイプ２セルに変換するとき、該ＡＴＭセルに格納されているローカルアドレスに対応するチャネル識別子を前記情報テーブルから認識し、該チャネル識別子を前記ＡＡＬタイプ２セルに格納することを特徴とする請求項１又は２記載の同報送信システム。
【請求項４】
前記各無線基地局は、
前記チャネル識別子の種別と該種別が示す無線端末群との対応関係を示す情報テーブルを有し、
前記メッセージの複製を供給すべき無線端末群を前記情報テーブルから認識することを特徴とする請求項１乃至３のいずれか１項に記載の同報送信システム。
【請求項５】
メッセージの同報対象グループを示すローカルアドレスを割り当てられた複数の無線端末を管轄する複数の無線基地局へ同報対象グループに対するメッセージを出力する無線基地局制御装置が、
同報対象のメッセージが格納されたＡＴＭセルにおけるＶＣＩ（Virtual Channel Identifier）フィールドに当該ローカルアドレスを格納し、
前記ＡＴＭセルをＡＡＬ（ATM Adaptation Layer）タイプ２セルに変換し、且つ、前記格納されたローカルアドレスが示す同報対象グループの中から前記各無線基地局が管轄する無線端末群を識別するためのチャネル識別子を、前記ＡＡＬタイプ２セルにおけるＣＰＳ（Common Part Sublayer）パケットのＣＩＤ（Channel Identifier）フィールドに格納し、該ＡＡＬタイプ２セルを前記チャネル識別子に基づき当該無線基地局へそれぞれ送信し、
前記各無線基地局が、
前記無線基地局制御装置からＡＡＬタイプ２セルを受信したとき、該セルのチャネル識別子に対応する各無線端末へ前記メッセージの複製を供給することを特徴とする同報送信方法。
【請求項６】
前記無線基地局制御装置が、
前記複数の無線基地局のそれぞれに送信すべき各ＡＡＬタイプ２セルのＶＣＩフィールドの値として、同報を示す同一の値を格納することを特徴とする請求項５記載の同報送信方法。
【発明の詳細な説明】
【０００１】
【発明が属する技術分野】
本発明は、同報送信システム及び方法に関し、特に、ＡＴＭセルを用いて行う同報送信システム及び方法に関する。
【０００２】
【従来の技術】
従来、無線基地局制御装置から無線端末装置へ信号を同報送信したい場合には、無線基地局制御装置において同報先分のＡＴＭセルを生成し、移動基地局を介して各無線端末装置へ送信していた。
【０００３】
【発明が解決しようとする課題】
しかし、従来の技術は、たとえば１０台の無線端末装置に信号を同報送信する場合には、信号発生装置を通るＡＴＭセルは１０セルとなり、システム内の有限な帯域を占有していた。
【０００４】
また、上記問題を解決するために、ＡＴＭヘッダの仮想チャンネル識別子に同報パターンを設定し、ＲＮＣ内の信号発生装置からは、１セルのみ送信する方式があるが、この場合、同報セル用として同報パターン数分のＶＣＩ値を占有してしまうという問題がある。
【０００５】
そこで、本発明は、他の方法によって無線基地局制御装置を通るセル数を少なくすることを課題とする。
【０００６】
【課題を解決するための手段】
上記の課題を解決するために、本発明に係る同報送信システムは、メッセージの同報対象グループを示すローカルアドレスを割り当てられた複数の無線端末と、該複数の無線端末を管轄する複数の無線基地局と、該複数の無線基地局へ同報対象グループに対するメッセージを出力する無線基地局制御装置とを備え、前記無線基地局制御装置は、同報対象のメッセージが格納されたＡＴＭセルにおけるＶＣＩ（Virtual Channel Identifier）フィールドに当該ローカルアドレスを格納する手段と、前記ＡＴＭセルをＡＡＬ（ATM Adaptation Layer）タイプ２セルに変換し、且つ、前記格納されたローカルアドレスが示す同報対象グループの中から前記各無線基地局が管轄する無線端末群を識別するためのチャネル識別子を、前記ＡＡＬタイプ２セルにおけるＣＰＳ（Common Part Sublayer）パケットのＣＩＤ（Channel Identifier）フィールドに格納し、該ＡＡＬタイプ２セルを前記チャネル識別子に基づき当該無線基地局へそれぞれ送信する手段とを有し、前記各無線基地局は、前記無線基地局制御装置からＡＡＬタイプ２セルを受信したとき、該セルのチャネル識別子に対応する各無線端末へ前記メッセージの複製を供給する。
【０００７】
また、本発明に係る同報送信方法は、メッセージの同報対象グループを示すローカルアドレスを割り当てられた複数の無線端末を管轄する複数の無線基地局へ同報対象グループに対するメッセージを出力する無線基地局制御装置が、同報対象のメッセージが格納されたＡＴＭセルにおけるＶＣＩフィールドに当該ローカルアドレスを格納し、前記ＡＴＭセルをＡＡＬタイプ２セルに変換し、且つ、前記格納されたローカルアドレスが示す同報対象グループの中から前記各無線基地局が管轄する無線端末群を識別するためのチャネル識別子を、前記ＡＡＬタイプ２セルにおけるＣＰＳパケットのＣＩＤフィールドに格納し、該ＡＡＬタイプ２セルを前記チャネル識別子に基づき当該無線基地局へそれぞれ送信し、前記各無線基地局が、前記無線基地局制御装置からＡＡＬタイプ２セルを受信したとき、該セルのチャネル識別子に対応する各無線端末へ前記メッセージの複製を供給する。
【０００８】
【発明の実施の形態】
以下、図面を参照して本発明の実施の形態について説明する。
【０００９】
「構成の説明」
図１は、本発明の実施形態の無線基地局システムの模式的な構成を示すブロック図である。図１には、携帯電話機やＰＨＳなどの移動無線端末（ＭＳ）１０１〜１１２と、移動無線端末１０１〜１１２を相互に接続するとともに移動無線端末１０１〜１１２のいくつかに送信する同報対象のセルを送信先の台数分複製する無線基地局（ＢＴＳ）１２０〜１２２と、無線基地局１２０〜１２２の動作を制御する無線基地局制御装置（ＲＮＣ）１３０とを示している。
【００１０】
無線基地局制御装置１３０は、宛先情報及び同報対象かどうかを示す情報を含むローカルアドレスを格納したＡＴＭセルを生成する信号発生装置１３４と、信号発生装置１３４で生成されたＡＴＭセルに含まれている宛先情報に従ってそのＡＴＭセルの送信先の回線インタフェース装置を選択するＡＴＭスイッチ（以下、「ＡＴＭ−ＳＷ」と称する。）１３３と、ＡＴＭ−ＳＷ１３３から送られるＡＴＭセルの送信先の無線基地局を選択する回線インタフェース装置１３１，１３２とを備えている。
【００１１】
なお、図１には、移動無線端末１０１〜１０４を無線基地局１２０が管轄し、移動無線端末１０５〜１０８を無線基地局１２１が管轄し、移動無線端末１０９〜１１２を無線基地局１２２が管轄し、さらに、移動無線端末１０３〜１０８にローカルアドレスＬＡ０を割り当て、移動無線端末１０５〜１１２にローカルアドレスＬＡ１を割り当てた様子を示している。
【００１２】
ローカルアドレスは、同報対象のＡＴＭセルの送信先を一意に示すアドレスである。例えばＡＴＭセルを移動無線端末１０３〜１０８に同報送信したい場合には、信号発生装置１３４でヘッダの仮想チャネル識別子（Ｖｉｒｔｕａｌ  Ｃｈａｎｎｅｌ  Ｉｄｅｎｔｉｆｉｅｒ：ＶＣＩ）フィールドにローカルアドレスＬＡ０を格納したＡＴＭセルを生成する。
【００１３】
なお、ローカルアドレスは、無線移動端末１０１〜１１２の各種組合せ毎に割り当てている。すなわち、例えば無線移動端末１０５，１０６だけを含むローカルアドレスも割り当てている。
【００１４】
図２は、図１の回線インタフェース１３１，１３２の模式的な内部構成を示すブロック図である。図２には、ＡＴＭ−ＳＷ１３３から送信されるＡＴＭセルを受信するセル受信部２０１と、セル受信部２０１で受信されたＡＴＭセルのＶＣＩフィールドに格納されている情報に基づいてそのＡＴＭセルが同報対象のセルであるかどうかを識別する同報セル識別部２０２と、同報セル識別部２０２でＡＴＭセルが同報対象のセルであると識別された場合にはそのセルをＡＡＬタイプ２セルと同じフォーマットのセルに変換するセル変換部２０３と、セル変換部２０３でセルを変換するための同報信号変換テーブル２０４と、同報セル識別部２０２から送られてくる同報対象でないセル又はセル変換部２０３で変換された後のセルを無線基地局１２０〜１２２へ送るセル送信部２０５とを備えている。
【００１５】
なお、無線基地局１２０〜１２２の都合で、ＶＣＩ等が変更されることがあるので、回線インタフェース１３１，１３２（例えば、セル送信部２０５）には、ＶＣＩ等が変更されても、セルの宛先が変わらないようにヘッダを変換する機能を備えている。
【００１６】
図３は、図２のセル変換部２０３でセルを変換する際の説明図である。図３（ａ）は変換前のセル、図３（ｂ）は変換後のセル（ＡＡＬタイプ２セルと同じフォーマットのセル）を示している。なお、図３（ｂ）には説明の都合上のためＡＡＬタイプ２セルで用いられている名称を付している。
【００１７】
図３（ａ）に示すように、変換前のセルは、５バイトのヘッダのＶＣＩフィールドに例えばローカルアドレスＬＡ０が格納されており、４８バイトのペイロードに同報メッセージが格納されている。
【００１８】
図３（ｂ）に示すように、変換後のセルのうち１つ目のセルには、５バイトのヘッダのＶＣＩフィールドに「１０００」という値が格納されており、１バイトのＡＡＬタイプ２スタートフィールド（ＳＴＦ）が設けられており、３バイトのＡＡＬタイプ２ＣＰＳパケットヘッダのＣＩＤフィールドに「ａ」という値が格納されており、４４バイトのＡＡＬタイプ２ＣＰＳパケットペイロードに同報メッセージが格納されている。
【００１９】
変換後のセルのうち、２つ目のセルには、５バイトのヘッダのＶＣＩフィールドに「１０００」が格納されており、１バイトのＡＡＬタイプ２ＳＴＦが設けられており、４４バイトのＡＡＬタイプ２ＣＰＳパケットペイロードに同報メッセージと全て「０」のデータであるパディングとが格納されている。
【００２０】
ここで、図３（ａ）と図３（ｂ）とを比較すると、図３（ａ）に示すペイロードよりも図３（ｂ）に示すＡＡＬタイプ２ＣＰＳパケットペイロードの方が狭い。これは、図３（ｂ）のセルにＡＡＬタイプ２ＳＴＦ、ＡＡＬタイプ２ＣＰＳパケットヘッダを設けたためである。このため、変換後の１つ目のセルに格納しきれなかった同報メッセージは２つ目のセルに格納している。
【００２１】
図４は、図２の同報信号変換テーブル２０４内の概要図である。同報信号変換テーブル２０４には、ローカルアドレスとＡＴＭセルの送信先となる無線移動端末を特定するためのチャネル識別子とが一対で格納される。
【００２２】
図４には、ＡＴＭセルのヘッダのＶＣＩフィールドには例えばローカルアドレスＬＡ０が格納されている場合、無線基地局１２０へ送信するＡＴＭセルヘッダのＶＣＩには例えば「１０００」という値を格納し、チャネル識別子（Ｃｈａｎｎｅｌ  Ｉｄｅｎｔｉｆｉｅｒ：以下、「ＣＩＤ」と称する。）フィールドには例えば「ａ」という値を格納し、無線基地局１２１へ送信するＡＴＭセルヘッダのＶＣＩフィールドには例えば「１０００」という値を格納し、ＣＩＤフィールドには例えば「ｂ」という値を格納するようにしている様子を示している。
【００２３】
また、図４に示すように、ＡＴＭセルのヘッダのＶＣＩフィールドには例えばローカルアドレスＬＡ１が格納されている場合には、回線インタフェース１３１側では無線基地局１２１へ送信するＡＴＭセルヘッダのＶＣＩフィールドには例えば「１０００」という値を格納し、ＣＩＤフィールドには例えば「ｂ」という値を格納する。回線インタフェース１３２側では無線基地局１２２へ送信するＡＴＭセルヘッダのＶＣＩフィールドには「１０００」という値を格納し、ＣＩＤフィールドには「ｂ」という値を格納するようにしている様子を示している。
【００２４】
図５は、図１の無線基地局１２０〜１２２で保持しているテーブルの概要図である。このテーブルには、ＣＩＤとＡＴＭセルの送信先となる無線移動端末を示す情報とが一対で格納される。
【００２５】
図５には、例えばＣＩＤフィールドに「１」という値が格納されている場合には、移動無線端末ＭＳ０にだけそのＡＴＭセルを送信し、例えばＣＩＤフィールドに「ａ」という値が格納されている場合には、移動無線端末ＭＳ２，ＭＳ３にだけそのＡＴＭセルを送信するようにしている様子を示している。
【００２６】
「動作の説明」
以下、図１の無線基地局システムで、同報対象のＡＴＭセルを移動無線端末１０３〜１０８へ送信したい場合の動作を主として説明する。
【００２７】
まず、信号発生装置１３４は、同報対象のＡＴＭセルを移動無線端末１０３〜１０８へ送信したい場合には、図３（ａ）に示すように、移動無線端末１０３〜１０８に割り当てられているローカルアドレスＬＡ０をヘッダのＶＣＩフィールドに格納し、ペイロードに同報メッセージを格納することによってＡＴＭセルを生成し、ＡＴＭ−ＳＷ１３３へ送る。
【００２８】
ここで、ヘッダのＶＣＩフィールドにローカルアドレスを格納するということは、このＡＴＭセルは同報セルであることを示すとともに、このセルの宛先を示していることになる。
【００２９】
なお、同報対象でないＡＴＭセルを送信する場合には、ＡＡＬタイプ２のＶＣＩに例えば「５００」とか、「１０００」という値が格納され、仮想パス識別子（ＶＰＩ）／ＶＣＩのみで宛先へルーティングを行うようにしている。
【００３０】
ＡＴＭ−ＳＷ１３３は、信号発生装置１３４から送られるＡＴＭセルのＶＣＩフィールドに格納されている情報に基づいて、ＡＴＭセルの送り先の回線インタフェースを選択する。ここでは、回線インタフェース１３１へそのＡＴＭセルを送る。
【００３１】
回線インタフェース装置１３１では、ＡＴＭ−ＳＷ１３３から送られてきたＡＴＭセルをセル受信部２０１で受信して、同報セル識別部２０２へ出力する。
【００３２】
同報セル識別部２０２は、セル受信部２０１で受信されたＡＴＭセルのＶＣＩフィールドに格納されている情報に基づいて、そのＡＴＭセルが同報対象のＡＴＭセルであるかどうかを判別し、判別結果に応じてセルの送り先を選択する。ここでは、セル変換部２０３へ送る。
【００３３】
セル変換部２０３は、同報セル識別部２０２から送られるＡＴＭセルのＶＣＩフィールドに格納されている情報に基づいて、同報信号変換テーブル２０４を検索して、対応して格納されているＶＣＩ及びＣＩＤを読み出して、図３（ｂ）に示すようなＡＴＭセルに変換する。具体的には、無線基地局１２０へ送るＡＡＬタイプ２セルと同じフォーマットのセルのヘッダのＶＣＩフィールドに「１０００」という値を格納し、ＡＡＬタイプ２ＣＰＳパケットヘッダのＣＩＤフィールドに「ａ」という値を格納する。
【００３４】
また、無線基地局１２１へ送るＡＡＬタイプ２セルのヘッダのＶＣＩフィールドに「１０００」という値を格納し、ＡＡＬタイプ２ＣＰＳパケットヘッダのＣＩＤフィールドに「ｂ」という値を格納する。それから、そのセルをセル送信部２０５へ送る。
【００３５】
ちなみに、信号発生装置１３４から同報対象でないＡＴＭセルが送られてきた場合には、同報セル識別部２０２からセル送信部２０５へ、セル変換部２０３を介すことなく送られる。
【００３６】
セル送信部２０５は、セル変換部２０３から送られるセルを無線基地局１２０，１２１へ送信する。
【００３７】
無線基地局１２０，１２１は、それぞれセル送信部２０５から送信されたセルのＶＣＩフィールドを参照して、そのセルが同報対象のセルであるか否かを識別する。ここでは、同報対象のセルであるので、参照したＶＣＩフィールドの情報に基づいて図５に示す同報信号分配パターンテーブルを検索し、ＣＩＤフィールドに格納されている「ａ」という値と、「ｂ」という値とにそれぞれに対応して格納されている移動無線端末を特定する。
【００３８】
その結果、無線基地局１２０から移動無線端末１０３，１０４へそのセルを送信することになり、無線基地局１２１から移動無線端末１０５〜１０８へそのセルを送信することになる。そこで、無線基地局１２０，１２１は、送信する移動無線端末分だけ同報メッセージを複製して各宛先に送信する。
【００３９】
なお、無線基地局制御装置１３０から送信されたセルが同報対象のセルでない場合には、無線基地局１２０〜１２２ではＡＴＭセルに格納されている宛先に従って、そのセルを送信する。
【００４０】
【発明の効果】
以上説明した本発明によれば、無線基地局制御装置内を通るセル数を少なくすることができるので、システム全体で極めてトラフィックを減少することができる。また、同報先をＡＡＬｔｙｐｅ２のＣＰＳパケットヘッダのＣＩＤフィールドに設定しているので、システム全体でＶＣＩを有効に利用できる。
【図面の簡単な説明】
【図１】本発明の実施形態の無線基地局システムの模式的な構成を示すブロック図である。
【図２】図１の回線インタフェース１３１，１３２の模式的な内部構成を示すブロック図である。
【図３】図２のセル変換部２０３でセルを変換する際の説明図である。
【図４】図２の同報信号変換テーブル２０４内の概要図である。
【図５】図１の無線基地局１２０〜１２２で保持しているテーブルの概要図である。
【符号の説明】
１０１〜１１２  移動無線端末
１２０〜１２２  無線基地局
１３０  無線基地局制御装置
１３１，１３２  回線インタフェース装置
１３３  ＡＴＭスイッチ
１３４  信号発生装置
【図１】
0003617642.tif 000002
【図２】
0003617642.tif 000003
【図３】
0003617642.tif 000004
【図４】
0003617642.tif 000005
【図５】
0003617642.tif 000006